(57)【要約】【課題】  回転ドア装置の出入り口への利用者の駆け込みを事前に抑制する。【解決手段】  回転ドア装置の円筒壁２内を回転する仕切り壁１０が、円筒壁２に形成した出入り口４ａ、４ｂの戸挟み区間を移動する期間中、方立６ａ、６ｂ、８ａ、８ｂ、仕切り壁１０に設けた表示部３６ａ、３６ｂ、３８ａ、３８ｂ、４０ａ、４０ｂが発光し、仕切り壁が戸挟み区間を移動中であることを回転ドア装置の外部にいる利用者に視覚的に報知する。【選択図】        図１
2005320735.tif 000002
【特許請求の範囲】
【請求項１】
回転ドアの扉体が出入り口の戸挟み区間を移動する期間中、利用者に対してサイン情報を表示する表示部を備えたことを特徴とする回転ドア装置。
【請求項２】
請求項１記載の回転ドア装置において、前記表示部は、前記扉体の戸先端及び前記扉体の回転方向側にある前記出入り口の方立端縁に沿って設置されていることを特徴とする回転ドア装置。
【請求項３】
請求項１記載の回転ドア装置において、前記表示部は、前記出入り口の両側の方立に沿って配置されていることを特徴とする回転ドア装置。
【請求項４】
請求項１記載の回転ドア装置において、前記表示部のサイン情報と連動して、通行可、通行不可の文字情報を表示する電光掲示板を設けたことを特徴とする回転ドア装置。
【発明の詳細な説明】
【技術分野】
【０００１】
本発明は、回転ドア装置に関し、特に回転ドアの扉体と出入り口の端縁との間に利用者が挟まれないように注意を促すものに関する。
【背景技術】
【０００２】
回転ドアの扉体と出入り口の端縁との間に利用者が挟まれないように注意を促す技術としては、例えば特許文献１に開示されているようなものがある。この技術では、回転ドア装置に設置されている各種センサが危険を察知した場合や、操作スイッチが操作されたことにより、扉体が停止したり、減速されたりする。この停止状態から扉体が回転を再開する場合、または減速状態から通常速度に速度が増加する前に、予告するために、回転ドア装置の内部の天井にスピーカを設け、音声によって事前に警告を行うものである。
【０００３】
【特許文献１】実開平６−５６４４６号公報
【発明の開示】
【発明が解決しようとする課題】
【０００４】
しかし、この技術では、音声によって警告するものであるので、利用者に確実に警告内容を認識させることが困難である。しかも、この音声警告は、回転ドア装置の天井に設けられているので、回転ドア装置内に存在している人には有効かもしれないが、回転ドア装置の外部にいて、これから回転ドア装置の出入り口から回転ドア装置の内部に入ろうとしている利用者には、殆ど有効ではなく、最近問題となっている利用者が出入り口に駆け込んで、回転ドアの扉体と出入り口の端縁との間に挟まられることを未然に防止しようとするものとして、不十分である。
【０００５】
本発明は、利用者の駆け込みを事前に抑制できるようにして、回転ドア装置の利用者の安全性をより一層高めた回転ドア装置を提供することを目的とする。
【課題を解決するための手段】
【０００６】
本発明による回転ドア装置は、回転ドアの扉体が出入り口の戸挟み区間を移動する期間中、利用者に対してサイン情報を表示する表示部を備えたものである。回転ドア装置は、例えば円筒壁に対向して２つの出入り口を有し、円筒壁に沿って回転し、これら出入り口を開閉する扉体を有している。この扉体が出入り口の一部を閉じた状態から出入り口を完全に扉体が閉じた状態になるまでの区間が戸挟み区間である。表示部は、回転ドア装置の外部に向かってサイン情報を表示することができるものが望ましく、サイン情報としては、視覚的に確認することができるものであれば種々のものを使用することができ、例えば図柄の表示または光の発光、点滅、光の反射等を使用することができる。
【０００７】
このように構成した回転ドア装置では、回転ドアの扉体が戸挟み区間を移動している間に、回転ドアが戸挟み区間を移動していることを表示部によって視覚的に訴えることができるので、利用者が出入り口に駆け込むことを思いとどまらせることができ、利用者が扉体と出入り口の縁との間に挟まれる事故の可能性を大幅に低減できる。
【０００８】
前記表示部は、前記扉体の戸先端及び前記扉体の回転方向側にある前記出入り口の方立端縁に沿って設置することができる。表示部は、戸先端の長さ方向に沿って出入り口の外部に向かって発光する複数の発光体を設けたものと、前記方立の端縁の長さ方向に沿って出入り口の外部に向かって発光する複数の発光体を設けたものとすることができる。発光体は、単純に発光するだけでもよいし、点滅を行うものでもよい。発光体以外に、何らかの光を外部に向けて反射するものを使用することもできる。
【０００９】
このように構成することによって、戸挟み区間を扉体が移動して、扉体の戸先先端が出入り口の方立端縁に近づくに連れて、扉体の戸先先端にある表示部と、出入り口の方立端縁にある表示部との距離が短くなり、通行可能な区間が短くなっていることを利用者に認識させることが可能となり、それだけ利用者に駆け込みの危険度を認識させることができる。
【００１０】
前記表示部は、前記出入り口の両側の方立に沿って配置することもできる。この場合でも、表示部は、出入り口の両側の方立の長さ方向に沿って外部に向かって発光する複数の発光体を設けたものとすることができる。発光体は、単純に発光するだけでもよいし、点滅を行うものでもよい。発光体以外に、何らかの光を外部に向けて反射するものを使用することもできる。
【００１１】
このように構成すると、利用者が出入り口から遠く離れた場所にいるときから、現在、扉体が戸挟み区間を移動中であることを視覚的に認識することができ、今から駆け込みを行うと危険であることを出入り口から離れている利用者に知らせることができ、無謀な書き込みを未然に防止できる可能性が高い。
【００１２】
前記表示部のサイン情報と連動して、通行可、通行不可の文字情報を表示する電光掲示板を設けることもできる。この電光掲示板も回転ドア装置の外部に向けて表示することが望ましい。
【００１３】
このように構成すると、戸挟み区間を扉体が移動しているとき、通行不可の文字情報が電光掲示板に表示されるので、利用者に対し出入り口に駆け込むことが危険であることをより一層認識させることができる。
【発明の効果】
【００１４】
以上のように、本発明によれば、扉体が戸挟み区間を移動中に、利用者が出入り口に駆け込むことを未然に防止することができる可能性を高めることができ、回転ドア装置の利用者の安全性をより高めることができる。
【発明を実施するための最良の形態】
【００１５】
本発明の第１実施形態の回転ドア装置は、図２、図３に示すように、円筒壁２を有している。円筒壁２は、例えば建物の壁に形成した開口に取り付けられている。円筒壁２には、対向するように出入り口４ａ、４ｂが形成されている。これら出入り口４ａ、４ｂは、上記開口に平行に形成されている。これら出入り口４ａ、４ｂの縁には、それぞれ支柱、例えば方立６ａ、６ｂ、８ａ、８ｂが建てられている。
【００１６】
円筒壁２の内部には、その直径方向に沿って扉体、例えば仕切り壁１０が配置されている。仕切り壁１０は、その外方端が円筒壁２の内周面に到達するように形成され、その中央部には、中央壁、例えばスライド式の自動ドア１２を備えている。この自動ドア１２は、両引きのもので、仕切り壁１０の長さ方向に沿って開閉される。仕切り壁１０は、円筒壁２の中心を回転中心として、円筒壁２の内周面に沿って回転可能に形成されている。仕切り壁１０の両外方端には、円弧パネル１４ａ、１４ｂが形成されている。これら円弧パネル１４ａ、１４ｂは、円筒壁２の内周面と同芯の円弧状に形成されており、仕切り壁１０の回転に従って同時に出入り口４ａ、４ｂを閉鎖する。１６ａ、１６ｂは直線壁、１８ａ、１８ｂは凹壁である。
【００１７】
仕切り壁１０は、円筒壁２の円板状の天井に固定され、この天井が、円筒壁２の上部周縁に沿って形成した環状部上を回転する。図４に示すように、仕切り壁１０を回転させるための駆動部、例えばモータ２０が設けられている。このモータ２０は、制御装置２２によって制御される。また、仕切り壁１０を停止させるための制動手段、例えば電磁ブレーキ２４も仕切り壁１０に設けられており、これも制御装置２２によって制御される。これらは、回転する天井に設けられている。
【００１８】
仕切り壁１０は、通常には常時回転するように制御装置２２によってモータ２０が制御され、さらに、図１（ｂ）に示すように円弧パネル１４ａ、１４ｂが出入り口４ａ、４ｂの戸挟み区間を通過する際に、他の区間を通過する際の速度よりも低速に制御されている。戸挟み区間は、円弧パネル１４ａ、１４ｂの先端と円弧パネル１４ａ、１４ｂの回転方向側にある方立８ａ、８ｂとの間に回転ドアの利用者が入ると、挟まれる可能性がある区間で、例えば円弧パネル１４ａ、１４ｂが出入り口４ａ、４ｂの一部を被った状態から円弧パネル１４ａ、１４ｂが出入り口４ａ、４ｂを完全に被った状態までの区間である。例えば図１（ｂ）、図３は、円弧パネル１４ａ、１４ｂが戸挟み区間２５ａ、２５ｂに到達した状態を示している。
【００１９】
これら戸挟み区間２５ａ、２５ｂに円弧パネル１４ａ、１４ｂが通過していることを検出するために、回転する天井には戸挟み区間検出手段、例えばリミットスイッチ２６が設けられ、制御装置２２に接続されている。また、リミットスイッチ２６に対応して、Ｎ極の永久磁石とＳ極の永久磁石とが、所定の角度を隔てて円筒壁２の上部周辺の環状部に設けられている。そして、２つの戸挟み区間２５ａ、２５ｂに円弧パネル１４ａ、１４ｂが到達したとき、リミットスイッチ２６がＮ極の永久磁石の設置位置を通り、リミットスイッチがオンとなり、戸挟み区間を円弧パネル１４ａ、１４ｂが完全に通過し終わったとき、リミットスイッチ２６がＳ極の永久磁石の設置位置を通り、リミットスイッチがオフとなる。従って、制御装置２２は、リミットスイッチ２６がオンとなると、モータ２０を減速させ、リミットスイッチ２６がオフとなると、モータ２０を通常速度に復帰させる。
【００２０】
この戸挟み区間を円弧パネル１４ａ、１４ｂが通過している際に、この戸挟み区間及びその近傍に利用者が存在する場合、或いはこの戸挟み区間で円弧パネル１４ａ、１４ｂに利用者が接触した場合、減速されている円弧パネル１４ａ、１４ｂを停止させるように、制御装置２２は、モータ２０を停止させ、かつ電磁ブレーキ２４を作動させる。減速した状態で、仕切り壁１０を停止させるので、瞬間に仕切り壁１０を停止させることができる。上述したように仕切り壁１０を停止させるための安全センサとして、戸挟み防止センサ２８ａ、２８ｂ、方立ゴムスイッチ３０ａ、３０ｂ、コラムセンサ３２ａ、３２ｂ、エッジセンサ３４ａ、３４ｂが設けられている。
【００２１】
戸挟み防止センサ２８ａ、２８ｂは、方立８ａ、８ｂの近傍の天井の非回転部に設けられた光電スイッチであり、戸挟み区間２５ａ、２５ｂ及びその周辺に利用者が存在する場合に、その存在を検出する。方立ゴムスイッチ３０ａ、３０ｂは、円弧パネル１４ａ、１４ｂの回転方向側にある方立８ａ、８ｂから戸挟み区間側に突出させたゴム内に設けられ、これらに利用者が接触したときに、この接触を検出する。コラムセンサ３２ａ、３２ｂは、方立８ａ、８ｂの長さ方向に沿って所定の間隔を隔てて複数設けられた光電スイッチで、戸挟み区間２５ａ、２５ｂの近傍の検知領域に利用者が存在する場合に、これを検出する。エッジセンサ３４ａ、３４ｂは、円弧パネル１４ａ、１４ｂの先端部のゴム内に設けられたもので、これに利用者が接触したときに、その接触を検出する。
【００２２】
この他、この回転ドア装置では、仕切り壁１０を所定位置で停止させて、自動ドア１２を開閉させることもあるが、その構成は、本願発明とは直接に関連しないので、詳細な説明は省略する。
【００２３】
この回転ドア装置では、円弧パネル１４ａ、１４ｂが戸挟み区間２５ａ、２５ｂを移動中であることがリミットスイッチ２６によって検出されている。そこで、この実施形態では、表示部３６ａ、３６ｂ、３８ａ、３８ｂ、４０ａ、４０ｂを設け、戸挟み区間２５ａ、２５ｂを円弧パネル１４ａ、１４ｂが移動中には表示部３６ａ、３６ｂ、３８ａ、３８ｂ、４０ａ、４０ｂを点灯させて、利用者に円弧パネル１４ａ、１４ｂが戸挟み区間を通行中であることを視覚的に報知している。即ち、サイン情報を表示している。
【００２４】
表示部３６ａ、３６ｂは、円弧パネル１４ａ、１４ｂの回転方向とは反対側の方立６ａ、６ｂの外面側に、即ち出入り口４ａ、４ｂに近づく利用者から見えるように設けられた発光ダイオード列である。表示部３８ａ、３８ｂは、円弧パネル１４ａ、１４ｂの回転方向側の方立８ａ、８ｂの外面側に設けられた発光ダイオード列である。表示部４０ａ、４０ｂは、円弧パネル１４ａ、１４ｂの先端、即ち戸先にある支柱４２ａ、４２ｂの外面側に設けられた発光ダイオード列である。
【００２５】
これら表示部３６ａ、３６ｂ、３８ａ、３８ｂ、４０ａ、４０ｂは、円弧パネル１４ａ、１４ｂが戸挟み区間２５ａ、２５ｂ外を移動中には、図１（ａ）、図２に示すように非点灯状態であるが、円弧パネル１４ａ、１４ｂが戸挟み区間を通過中には図１（ｂ）、図３に示すように点灯する。従って、仕切り壁１０が戸挟み区間を移動中であることを、出入り口４ａ、４ｂの外部にいる利用者に視覚的に報知することができる。
【００２６】
特に、これら表示部３６ａ、３６ｂ、３８ａ、３８ｂは、方立６ａ、６ｂ、８ａ、８ｂに設けられている。これらの位置は、回転ドア装置に近づく利用者が比較的目にしやすい位置であるので、利用者に現時点で出入り口４ａ、４ｂに入ることが危険であるか否かを容易に認識させることができる。しかも、円弧パネル１４ａ、１４ｂの戸先に設けた表示部４０ａ、４０ｂと円弧パネル１４ａ、１４ｂの回転方向側の方立８ａ、８ｂにある表示部３８ａ、３８ｂとの間隔は、戸挟み区間２５ａ、２５ｂを円弧パネル１４ａ、１４ｂが通過して行くに従って狭くなり、利用者が円筒壁２内に入るための区間が狭くなっていく過程をリアルタイムで示しているので、利用者に駆け込みがどの程度危険であるかを報知している。
【００２７】
また、音声案内装置４４も設けられており、円弧パネル１４ａ、１４ｂが戸挟み区間を通過中には、その旨を音声で報知するように制御装置２２が音声案内装置４４を制御している。この音声案内装置４４のスピーカ２６は、出入り口４ａ、４ｂ付近で音声が聞こえるように設置されている。
【００２８】
円弧パネル１４ａ、１４ｂの回転方向側の方立８ａ、８ｂの外方側には、外方から観察可能に電光掲示板４８ａ、４８ｂが設置されている。これらも制御装置２２によって制御され、円弧パネル１４ａ、１４ｂが戸挟み区間２５ａ、２５ｂ以外の区間を通過中には、図１（ａ）に示すように通行可能を表す文字情報、例えば「お通り下さい」の文字が表示され、円弧パネル１４ａ、１４ｂが戸挟み区間２５ａ、２５ｂを通過中には、図１（ｂ）に示すように通行不可を表す文字情報、例えば「入らないで下さい」の文字が表示される。これら文字情報によっても、出入り口４ａ、４ｂに近づいた通行者は、出入り口４ａ、４ｂに入ることが危険であるか否かを瞬時に理解することができる。
【００２９】
第２の実施形態の回転ドア装置を図５、図６に示す。この回転ドア装置は、円筒壁２の中央に回転体５０を備え、この回転体５０から４枚の翼体５２ａ乃至５２ｆが所定角度ごとに円筒壁２の内周面まで伸延している。図５（ｂ）に示すように、隣接する２枚の翼体、例えば翼体５２ａ、５２ｂが、一方の出入り口、例えば出入り口４ａの両端に位置するとき、他の２枚の翼体５２ｃ、５２ｄが他方の出入り口４ｂの両端に位置する。回転体５０と翼体５２ａ乃至５２ｆによって仕切り壁が形成されている。従って、自動ドアは仕切り壁に設置されていない。
【００３０】
この仕切り壁の回転、停止の制御は、第１の実施形態の回転ドア装置と同様に行われ、戸挟み区間では減速され、それ以外の区間では通常速度で仕切り壁が回転する。戸挟み区間は、各翼体５２ａ乃至５２ｄが、方立８ａ、８ｂに対して予め定めた角度をなす状態から各翼体５２ａ乃至５２ｄが方立８ａ、８ｂに重なる状態までの区間である。この戸挟み区間の検出のためにリミットスイッチとＮ及びＳ極の永久磁石が第１実施形態の回転ドア装置と同様に設置されている。但し、リミットスイッチは、各翼体ごとに設けられている。また、戸挟み区間及びその近傍に利用者が存在する場合、停止させるための安全センサとして、戸挟み防止センサ２８ａ、２８ｂ、方立ゴムスイッチ３０ａ、３０ｂ、コラムセンサ３２ａ、３２ｂが第１の実施形態の回転ドア装置と同様に設けられている。
【００３１】
方立に設けられる表示部は、仕切り壁の回転方向の方立８ａ、８ｂ側に設けられた表示部３８ａ、３８ｂのみである。また、仕切り壁に設けられる表示部は、各翼体５２ａ乃至５２ｄの戸先、即ち外方端の回転方向側の面に表示部５４ａ乃至５４ｄとして設けられている。これら表示部５４ａ乃至５４ｄは、表示部３８ａ、３８ｂと同様の発光ダイオード列である。表示部３８ａ、３８ｂと、表示部５４ａ乃至５４ｄのうち戸挟み区間を通過中のものは、図６（ａ）、（ｂ）に示すように仕切り壁が戸挟み区間を通過中に点灯する。従って、表示部３８ａ、３８ｂ及び表示部５４ａ乃至５４ｄのうち戸挟み区間を通過中のものの点灯によって、仕切り壁が戸挟み区間を通過中であることを、利用者に視覚的に報知する。
【００３２】
表示部５４ａ乃至５４ｄは、各翼体５２ａ乃至５２ｄの外方端の回転方向側の面に設けられているので、戸挟み区間を通過している翼体の表示部が、戸挟み区間を通過している翼体の背面側の利用者には見えにくいと言う利点がある。例えば図６（ｂ）に示すように翼体５２ｄが方立８ｂ側に近づいている状態では、翼体５２ｄの回転方向とは反対側から出入り口８ｂに入ろうとしている利用者Ａには、翼体５２ｄの表示部５４ｄは見えにくい。もし、利用者Ａに翼体５２ｄの表示部５４ｄが見えると、通行者Ａは、出入り口４ｂに入ってよいのか悪いのか迷うことになる。一方、戸挟み区間の近傍にいる利用者Ｂには、翼体５２ｄの表示部５４ｄがよく見えるので、戸挟み区間に入ることが危険であることが瞬時に理解できる。
【００３３】
上記の２つの実施形態では、仕切り壁が戸挟み区間を移動する際、表示部を発光させたが、これに限ったものではなく、例えば点滅させることもできる。また、発光ダイオードのような発光体を表示部に使用したが、これに限ったものではなく、戸挟み区間においてなんらかの光を反射する反射体を使用することもできる。第２の実施形態において第１実施形態と同様に電光掲示板を設置することもできる。
【図面の簡単な説明】
【００３４】
【図１】本発明の第１実施形態の回転ドア装置において仕切り壁が戸挟み区間外を移動している状態及び戸挟み区間を移動している状態の正面図である。
【図２】図１の回転ドア装置の仕切り壁が戸挟み区間外を移動している状態の平面図である。
【図３】図１の回転ドア装置の仕切り壁が戸挟み区間を移動している状態の平面図である。
【図４】図１の回転ドア装置のブロック図である。
【図５】本発明の第２実施形態の回転ドア装置において仕切り壁が戸挟み区間外を移動している状態の正面図及び平面図である。
【図６】図５の回転ドア装置において仕切り壁が戸挟み区間を移動している状態の正面図及び平面図である。
【符号の説明】
【００３５】
２  円筒壁
４ａ  ４ｂ  出入り口
１０  仕切り壁（扉体）
３６ａ  ３６ｂ  ３８ａ  ３８ｂ  ４０ａ  ４０ｂ  表示部
【図１】
2005320735.tif 000003
【図２】
2005320735.tif 000004
【図３】
2005320735.tif 000005
【図４】
2005320735.tif 000006
【図５】
2005320735.tif 000007
【図６】
2005320735.tif 000008